【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
ユーザ端末にコンポーネントを含むパッケージを提供するサービス方法において、
ユーザ情報及び使用環境情報を含むメタデータを生成するメタデータ生成ステップと、
該生成されたメタデータをユーザ端末に送信する送信ステップと
を含むことを特徴とするサービス方法。
【請求項２】
前記ユーザ情報が、エージェントタイプ、接近情報、又はユーザの書誌的情報のいずれか１つ以上を含むことを特徴とする請求項１に記載のサービス方法。
【請求項３】
前記メタデータが、使用選好度及び使用履歴に関する情報を更に含むことを特徴とする請求項１に記載のサービス方法。
【請求項４】
前記使用環境情報が、端末情報、ネットワーク情報、又は自然環境情報のいずれか１つ以上を含むことを特徴とする請求項１に記載のサービス方法。
【請求項５】
前記自然環境情報が、地域情報及び時間情報を含むことを特徴とする請求項４に記載のサービス方法。
【請求項６】
前記ユーザ情報が、保護属性を含むことを特徴とする請求項１に記載のサービス方法。
【請求項７】
前記メタデータが、使用選好度及び使用履歴に関する情報を更に含み、
前記使用環境情報が、地域情報及び時間情報を含み、
前記地域情報、時間情報、及びユーザ情報が、前記使用選好度又は前記使用履歴に応じた保護属性を含むことを特徴とする請求項１に記載のサービス方法。
【請求項８】
前記使用環境情報が、地域情報及び時間情報を含み、
前記地域情報及び時間情報が、自動アップデート属性を含むことを特徴とする請求項１に記載のサービス方法。
【請求項９】
ユーザ端末にコンポーネントを含むパッケージを提供するサービス提供装置において、
ユーザ情報及び使用環境情報を含むメタデータを生成するメタデータ生成部と、
該生成されたメタデータをユーザ端末に送信する送信部と
を備えることを特徴とするサービス提供装置。
【請求項１０】
前記ユーザ情報が、エージェントタイプ、接近情報、又はユーザの書誌的情報のいずれか１つ以上を含むことを特徴とする請求項９に記載のサービス提供装置。
【請求項１１】
前記メタデータが、使用選好度及び使用履歴に関する情報を更に含むことを特徴とする請求項９に記載のサービス提供装置。
【請求項１２】
前記使用環境情報が、端末情報、ネットワーク情報、又は自然環境情報のいずれか１つ以上を含むことを特徴とする請求項９に記載のサービス提供装置。
【請求項１３】
前記自然環境情報が、地域情報及び時間情報を含むことを特徴とする請求項１２に記載のサービス提供装置。
【請求項１４】
前記ユーザ情報が、保護属性を含むことを特徴とする請求項９に記載のサービス提供装置。
【請求項１５】
前記メタデータが、使用選好度及び使用履歴に関する情報を更に含み、
前記使用環境情報が、地域情報及び時間情報を含み、
前記地域情報、時間情報、及びユーザ情報が、前記使用選好度又は前記使用履歴に応じた保護属性を含むことを特徴とする請求項９に記載のサービス提供装置。
【請求項１６】
前記使用環境情報が、地域情報及び時間情報を含み、
前記地域情報及び時間情報が、自動アップデート属性を含むことを特徴とする請求項９に記載のサービス提供装置。
【請求項１７】
コンポーネントを含むパッケージを消費する消費方法において、
ユーザ情報及び使用環境情報を含むメタデータを取得するメタデータ取得ステップと、
該取得されたメタデータを用いて前記パッケージを選択する選択ステップと
を含むことを特徴とする消費方法。
【請求項１８】
前記ユーザ情報が、エージェントタイプ、接近情報、又はユーザの書誌的情報のいずれか１つ以上を含むことを特徴とする請求項１７に記載の消費方法。
【請求項１９】
前記メタデータが、使用選好度及び使用履歴に関する情報を更に含むことを特徴とする請求項１７に記載の消費方法。
【請求項２０】
前記使用環境情報が、端末情報、ネットワーク情報、又は自然環境情報のいずれか１つ以上を含むことを特徴とする請求項１７に記載の消費方法。
【請求項２１】
前記自然環境情報が、地域情報及び時間情報を含むことを特徴とする請求項２０に記載の消費方法。
【請求項２２】
前記ユーザ情報が、保護属性を含むことを特徴とする請求項１７に記載の消費方法。
【請求項２３】
前記メタデータが、使用選好度及び使用履歴に関する情報を更に含み、
前記使用環境情報が、地域情報及び時間情報を含み、
前記地域情報、時間情報、及びユーザ情報が、前記使用選好度又は前記使用履歴に応じた保護属性を含むことを特徴とする請求項１７に記載の消費方法。
【請求項２４】
前記使用環境情報が、地域情報及び時間情報を含み、
前記地域情報及び時間情報が、自動アップデート属性を含むことを特徴とする請求項１７に記載の消費方法。
【請求項２５】
コンポーネントを含むパッケージを消費するユーザ装置において、
ユーザ情報及び使用環境情報を含むメタデータを取得するメタデータ取得部と、
該取得されたメタデータを用いて前記パッケージを選択する選択部と
を備えることを特徴とするユーザ装置。
【請求項２６】
前記ユーザ情報が、エージェントタイプ、接近情報、又はユーザの書誌的情報のいずれか１つ以上を含むことを特徴とする請求項２５に記載のユーザ装置。
【請求項２７】
前記メタデータが、使用選好度及び使用履歴に関する情報を更に含むことを特徴とする請求項２５に記載のユーザ装置。
【請求項２８】
前記使用環境情報が、端末情報、ネットワーク情報、又は自然環境情報のいずれか１つ以上を含むことを特徴とする請求項２５に記載のユーザ装置。
【請求項２９】
前記自然環境情報が、地域情報及び時間情報を含むことを特徴とする請求項２８に記載のユーザ装置。
【請求項３０】
前記ユーザ情報が、保護属性を含むことを特徴とする請求項２５に記載のユーザ装置。
【請求項３１】
前記メタデータが、使用選好度及び使用履歴に関する情報を更に含み、
前記使用環境情報が、地域情報及び時間情報を含み、
前記地域情報、時間情報、及びユーザ情報が、前記使用選好度又は前記使用履歴に応じた保護属性を含むことを特徴とする請求項２５に記載のユーザ装置。
【請求項３２】
前記使用環境情報が、地域情報及び時間情報を含み、
前記地域情報及び時間情報が、自動アップデート属性を含むことを特徴とする請求項２５に記載のユーザ装置。
【請求項３３】
コンポーネントを含むパッケージに対するメタデータにおいて、
ユーザ情報及び使用環境情報を含むことを特徴とするメタデータ。
【請求項３４】
前記ユーザ情報が、エージェントタイプ、接近情報、又はユーザの書誌的情報のいずれか１つ以上を含むことを特徴とする請求項３３に記載のメタデータ。
【請求項３５】
前記メタデータが、使用選好度及び使用履歴に関する情報を更に含むことを特徴とする請求項３３に記載のメタデータ。
【請求項３６】
前記使用環境情報が、端末情報、ネットワーク情報、又は自然環境情報のいずれか１つ以上を含むことを特徴とする請求項３３に記載のメタデータ。
【請求項３７】
前記自然環境情報が、地域情報及び時間情報を含むことを特徴とする請求項３６に記載のメタデータ。
【請求項３８】
前記ユーザ情報が、保護属性を含むことを特徴とする請求項３３に記載のメタデータ。
【請求項３９】
前記メタデータが、使用選好度及び使用履歴に関する情報を更に含み、
前記使用環境情報が、地域情報及び時間情報を含み、
前記地域情報、時間情報、及びユーザ情報が、前記使用選好度又は前記使用履歴に応じた保護属性を含むことを特徴とする請求項３３に記載のメタデータ。
【請求項４０】
前記使用環境情報が、地域情報及び時間情報を含み、
前記地域情報及び時間情報が、自動アップデート属性を含むことを特徴とする請求項３３に記載のメタデータ。  
【手続補正２】
【補正対象書類名】明細書
【補正対象項目名】００１０
【補正方法】変更
【補正の内容】
【００１０】
上記目的を達成するための本発明は、ユーザ端末にコンポーネントを含むパッケージを提供するサービス方法において、ユーザ情報及び使用環境情報を含むメタデータを生成するメタデータ生成ステップと、該生成されたメタデータをユーザ端末に送信する送信ステップとを含むサービス方法を提供する。
【手続補正３】
【補正対象書類名】明細書
【補正対象項目名】００１１
【補正方法】変更
【補正の内容】
【００１１】
また、本発明は、ユーザ端末にコンポーネントを含むパッケージを提供するサービス提供装置において、ユーザ情報及び使用環境情報を含むメタデータを生成するメタデータ生成部と、該生成されたメタデータをユーザ端末に送信する送信部とを備えるサービス提供装置を提供する。
【手続補正４】
【補正対象書類名】明細書
【補正対象項目名】００１２
【補正方法】変更
【補正の内容】
【００１２】
更に、本発明は、コンポーネントを含むパッケージを消費する消費方法において、ユーザ情報及び使用環境情報を含むメタデータを取得するメタデータ取得ステップと、該取得されたメタデータを用いて前記パッケージを選択する選択ステップとを含む消費方法を提供する。
【手続補正５】
【補正対象書類名】明細書
【補正対象項目名】００１３
【補正方法】変更
【補正の内容】
【００１３】
また、本発明は、コンポーネントを含むパッケージを消費するユーザ装置において、ユーザ情報及び使用環境情報を含むメタデータを取得するメタデータ取得部と、該取得されたメタデータを用いて前記パッケージを選択する選択部とを備えるユーザ装置を提供する。
更に、本発明は、コンポーネントを含むパッケージに対するメタデータにおいて、ユーザ情報及び使用環境情報を含むメタデータを提供する。